(57)【要約】【課題】ブックファイルの一部を範囲指定して印刷する。【解決手段】印刷設定メニューにより設定ユーザインターフェース画面１５０２を表示させ、印刷対象欄１５０２から、所望の単位を選択し、その単位で範囲を指定する。特に製本印刷の場合には、冊子単位で指定をすることができる。それにより、指定された冊子に含まれる原稿ページがすべて印刷される。【選択図】図１５
2007200327.tif 000002
【特許請求の範囲】
【請求項１】
複数の原稿ページからなるドキュメントデータが印刷装置で印刷処理される場合の印刷設定を行う情報処理装置において、
アプリケーションにより生成されるドキュメントデータを印刷処理する際に、指定枚数の印刷用紙を重ねて２つ折りにすることで作成される冊子をまとめて１冊の本とする製本印刷を印刷体裁設定として設定する印刷設定手段と、
複数の原稿ページからなるドキュメントデータに、前記印刷設定手段により設定される印刷体裁設定を付与してメモリに記憶して管理する管理手段と、
複数の冊子に分冊して印刷を行う製本印刷が印刷体裁として設定されている場合に、印刷処理すべき範囲を、製本印刷の冊子単位で指定する指定手段と、
前記指定手段に指定された冊子の印刷範囲に基づいて、指定された分冊の冊子に配置される原稿ページに相当する前記ドキュメントデータの原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを、前記印刷装置で印刷すべく印刷データに変換する変換手段とを備えることを特徴とする情報処理装置。
【請求項２】
印刷処理の開始前に、前記印刷設定手段により設定されている製本印刷の印刷体裁設定に従って、前記ドキュメントデータの各原稿ページの印刷プレビュー画像を、分冊の冊子単位毎に見開きの順に表示する印刷プレビュー表示手段を更に備えることを特徴とする請求項１に記載の情報処理装置。
【請求項３】
アプリケーションによって出力されたドキュメントデータから中間的なデータを生成する生成手段を更に有し、
前記変換手段は、前記生成手段によって生成された中間データから印刷データに変換することを特徴とする請求項１または２に記載の情報処理装置。
【請求項４】
複数の原稿ページからなるドキュメントデータが印刷装置で印刷処理される場合の印刷設定を行う情報処理装置における情報処理方法であって、
アプリケーションにより生成されるドキュメントデータを印刷処理する際に、指定枚数の印刷用紙を重ねて２つ折りにすることで作成される冊子をまとめて１冊の本とする製本印刷を印刷体裁設定として受け付ける印刷設定工程と、
複数の原稿ページからなるドキュメントデータに、前記印刷設定工程により設定される印刷体裁設定を付与してメモリに記憶して管理する管理工程と、
複数の冊子に分冊して印刷を行う製本印刷が印刷体裁として設定されている場合に、印刷処理すべき範囲を、製本印刷の冊子単位による指定を受け付ける指定工程と、
前記指定工程で指定された冊子の印刷範囲に基づいて、指定された分冊の冊子に配置される原稿ページに相当する前記ドキュメントデータの原稿ページを判断する判断工程と、
前記判断工程により判断されたすべての原稿ページに相当するドキュメントデータを前記メモリから取得する取得工程と、
前記取得工程により取得された原稿ページに相当するドキュメントを描画データとして受け取り、該受け取った描画データを、前記印刷装置で印刷すべく印刷データに変換する変換工程とを備えることを特徴とする情報処理方法。
【請求項５】
印刷処理の開始前に、前記印刷設定工程により設定されている製本印刷の印刷体裁設定に従って、前記ドキュメントデータの各原稿ページの印刷プレビュー画像を、分冊の冊子単位毎に見開きの順に表示する印刷プレビュー表示工程を更に備えることを特徴とする請求項４に記載の情報処理方法。
【請求項６】
アプリケーションによって出力されたドキュメントデータから中間的なデータを生成する生成工程を更に有し、
前記変換工程では、前記生成工程によって生成された中間データから印刷データに変換することを特徴とする請求項４または５に記載の情報処理方法。
【請求項７】
コンピュータを、複数の原稿ページからなるドキュメントデータが印刷装置で印刷処理される場合の印刷設定を行う情報処理装置として機能させるプログラムであって、
アプリケーションにより生成されるドキュメントデータを印刷処理する際に、指定枚数の印刷用紙を重ねて２つ折りにすることで作成される冊子をまとめて１冊の本とする製本印刷を印刷体裁設定として受け付ける印刷設定手段と、
複数の原稿ページからなるドキュメントデータに、前記印刷設定手段により設定される印刷体裁設定を付与してメモリに記憶して管理する管理手段と、
複数の冊子に分冊して印刷を行う製本印刷が印刷体裁として設定されている場合に、印刷処理すべき範囲を、製本印刷の冊子単位による指定を受け付ける指定手段と、
前記指定手段に指定された冊子の印刷範囲に基づいて、指定された分冊の冊子に配置される原稿ページに相当する前記ドキュメントデータの原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを、前記印刷装置で印刷すべく印刷データに変換する変換手段と
してコンピュータを機能させることを特徴とするプログラム。
【請求項８】
印刷処理の開始前に、前記印刷設定手段により設定されている製本印刷の印刷体裁設定に従って、前記ドキュメントデータの各原稿ページの印刷プレビュー画像を、分冊の冊子単位毎に見開きの順に表示する印刷プレビュー表示手段として更にコンピュータを機能させることを特徴とする請求項７に記載のプログラム。
【請求項９】
アプリケーションによって出力されたドキュメントデータから中間的なデータを生成する生成手段として更にコンピュータを機能させ、
前記変換手段は、前記生成手段によって生成された中間データから印刷データに変換することを特徴とする請求項７または８に記載のプログラム。
【発明の詳細な説明】
【技術分野】
【０００１】
本発明は、例えば文書処理プログラムによって生成される文書データに対する編集機能を提供する情報処理装置及び方法に関する。
【背景技術】
【０００２】
文字や表、画像など、データの種類が異なると、データを定義する構造やそれらデータに対する編集操作が異なるために、データの種類に応じた様々なアプリケーションプログラムが提供されている。利用者は、文字を編集するためには文字処理プログラム、表を編集するためには表計算プログラム、画像を編集するためには画像編集プログラムといった具合に、データの種類別にアプリケーションを使い分けている。
【０００３】
このように、利用者はデータの種類ごとにアプリケーションプログラムを使い分けるのが一般的である。しかし、利用者が作成しようとする文書としては、例えば文字のみや、表のみ、画像のみといった１種類のデータのみから構成される文書よりも、文字と表、文字と画像など、複数種類のデータから構成される文書の方が一般的である。そこで複数種類のデータを含む目的文書を作成するために、利用者は各種アプリケーションが備えている印刷機能を利用してアプリケーションごとにデータを印刷させ、印刷物を所望の順序に組み合わせる必要があった。
【０００４】
あるいは、いわゆるオフィススイートと呼ばれる、各種アプリケーションによってひとつの統合アプリケーションを形成するプログラムには、各アプリケーションで生成されたデータを組み合わせ、ひとつの文書を構成する機能を提供するものもある。この統合アプリケーションを使用する場合には、利用者は、各アプリケーションで作成したデータを、統合アプリケーションに含まれる特定のアプリケーションによってひとつの目的文書にまとめることができる。なお、特許文献１には、印刷範囲としてページを指定可能な設定画面を表示することが記載されている。
【特許文献１】特開２００１―１９５２２０
【発明の開示】
【発明が解決しようとする課題】
【０００５】
しかしながら、利用者が各種アプリケーションによる印刷物を組み合わせてひとつの目的文書を作成する場合、例えばページ番号を各ページに振るためには、いったん必要なデータをすべて印刷出力し、文書としてまとめてから付すべきページ番号を決定する必要がある。そして、各アプリケーションによって、そのアプリケーションで作成された原稿の各ページ（これを論理ページあるいは原稿ページと呼ぶ）ごとに、決定されたページ番号を書き込んでいく。アプリケーションプログラムがページ番号を振る機能を有している場合であっても、不連続部分があればその部分についてはやはり利用者がページ番号を指定しなければならない。また、目的文書のページを再配置した場合には、ページ番号もそれに合わせて振り直さなければならない。あるいは、複数の原稿ページを、印刷物としての１ページ（これを物理ページあるいは印刷ページと呼ぶ）にまとめたり、片面印刷から両面印刷に変更するなど、データの内容にかかる変更ではなく、単に書式を変更する場合であっても、アプリケーションによって編集および印刷のし直しが必要となる。
【０００６】
このように、データの種類ごとにそれを管理できるアプリケーションが異なることから、アプリケーション間のインターフェースを利用者自身が人手によって提供しなければならない。このことは、利用者に多大な労力が要求されるということであり、生産性の低下をもたらす。さらに、多くの人手を介することからエラーの発生も生じやすかった。
【０００７】
一方、統合アプリケーションを利用して目的文書を作成する場合、印刷出力せずに、データの状態で各種データを配置することができる。このため、印刷物を組み合わせて目的文書を作成する場合ほどには労力は必要とされることはない。しかしながら、各種データを編集・作成するためのアプリケーションは、統合アプリケーションに含まれるものに限られてしまい、利用者が望むアプリケーションが使用できるとは限らない。また、統合アプリケーションによって作成された目的文書はひとつの文書ファイルであり、ファイル単位で編集・出力等の管理が行われる。そのために、文書ファイルの一部について書式を設定しようとしてもアプリケーションの機能による制約が多く、例えば書式が変わる部分ごとに書式設定を変更しては印刷し直すといった作業が必要とされる。このため、多くの労力が必要とされて生産性が低い点においては、前述した方法と変わりはなかった。
【０００８】
さらに、文書の修正等を行った後に印刷し直す場合であっても、従来は、文書全体を印刷し直すか、あるいは原稿ページの単位で範囲を指定し、印刷を行う必要があった。部分的な修正にも関わらず文書全体を印刷し直すのは資源の浪費であるだけでなく、印刷装置を共有する利用者全体の生産性を低下させることになる。また、特に１枚のシート上に複数の原稿ページを配置するようなレイアウトの文書について原稿ページの単位で印刷対象の範囲を指定するためには、印刷する部分を利用者が原稿ページの範囲に換算しなければならず、煩雑で錯誤を引き起こしやすく、生産性の低下をもたらすものであった。
【０００９】
本発明は上記従来例に鑑みてなされたもので、文書中の印刷対象の範囲が指定しやすく、それにより利用性・生産性が向上した情報処理装置及び方法を提供することを目的とする。
【００１０】
さらに、利用者の望むアプリケーションプログラムによって作成されるデータをひとまとめにした文書の作成および編集を可能とするとともに、その操作性を高めて文書編集の生産性を向上させる情報処理装置及び方法を提供することを他の目的とする。
【課題を解決するための手段】
【００１１】
上記目的を達成するために、本発明は次のような構成から成る。すなわち、  複数の原稿ページからなるドキュメントデータが印刷装置で印刷処理される場合の印刷設定を行う情報処理装置において、
アプリケーションにより生成されるドキュメントデータを印刷処理する際に、指定枚数の印刷用紙を重ねて２つ折りにすることで作成される冊子をまとめて１冊の本とする製本印刷を印刷体裁設定として設定する印刷設定手段と、
複数の原稿ページからなるドキュメントデータに、前記印刷設定手段により設定される印刷体裁設定を付与してメモリに記憶して管理する管理手段と、
複数の冊子に分冊して印刷を行う製本印刷が印刷体裁として設定されている場合に、印刷処理すべき範囲を、製本印刷の冊子単位で指定する指定手段と、
前記指定手段に指定された冊子の印刷範囲に基づいて、指定された分冊の冊子に配置される原稿ページに相当する前記ドキュメントデータの原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを、前記印刷装置で印刷すべく印刷データに変換する変換手段とを備えることを特徴とする。
【発明の効果】
【００１２】
本発明によれば、製本印刷が印刷体裁として設定された文書について、文書中の印刷対象の範囲が指定しやすく、それにより利用性・生産性を向上させることができる。
【００１３】
さらに、印刷対象の範囲を指定した場合には、指定した範囲とともに、その範囲と同じシートに印刷される原稿ページも印刷されるために、印刷後のシートの差し替え作業を容易にすることができる。
【発明を実施するための最良の形態】
【００１４】
［第１の実施形態］
＜システム概要＞
本発明の情報処理システムに好適な第１の実施形態である文書処理システムの概要を、図１〜図１２を参照して説明する。この文書処理システムでは、一般アプリケーションにより作成されたデータファイルが、電子原稿ライタによって電子原稿ファイルに変換される。製本アプリケーションはその電子原稿ファイルを編集する機能を提供している。以下、その詳細は説明する。
【００１５】
＜システム構成及び動作＞
図１は、本実施形態の文書処理システムのソフトウェア構成を示す図である。文書処理システムは、本発明の情報処理装置に好適な実施形態であるデジタルコンピュータ１０１（以下、ホストコンピュータとも呼ぶ）によって実現されている。一般アプリケーション１０１は、ワードプロセシングやスプレッドシート、フォトレタッチ、ドローあるいはペイント、プレゼンテーション、テキスト編集などの機能を提供するアプリケーションプログラムであり、ＯＳに対する印刷機能を有している。これらアプリケーションは、作成された文書データや画像データなどのアプリケーションデータを印刷するにあたって、オペレーティングシステム（ＯＳ）により提供される所定のインターフェース（一般に、ＧＤＩと呼ばれる）を利用する。すなわち、アプリケーション１０１は、作成したデータを印刷するために、前記インターフェースを提供するＯＳの出力モジュールに対して、あらかじめ定められる、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。出力デバイスが処理可能な形式はデバイスの種類やメーカ、機種などによって異なるために、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウインドウズを利用する場合には、前述した出力モジュールとしてはＧＤＩと呼ばれるモジュールが相当する。
【００１６】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後電子原稿形式と呼ぶ）は、ページ単位の原稿を詳細な書式をもって表現可能であれば特に問わない。実質的な標準形式のうちでは、例えばアドビシステムズによるＰＤＦ形式や、ＳＶＧ形式などが電子原稿形式として採用できる。アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより生成されるドキュメントファイル、電子原稿ファイル、及びブックファイルをいずれも文書ファイル（または文書データ）と呼ぶ。
【００１７】
このようにデバイスドライバとして電子原稿ライタ１０２を指定し、一般アプリケーション１０１によりそのデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される。なお、ハードディスクは、本実施形態の文書処理システムを実現するコンピュータが備えているローカルドライブであってもよいし、ネットワークに接続されている場合にはネットワーク上に提供されるドライブであっても良い。
【００１８】
製本アプリケーション１０４は電子原稿ファイルあるいはブックファイル１０３を読み込み、それを編集するための機能を利用者に提供する。ただし製本アプリケーション１０４は、各ページの内容を編集する機能は提供しておらず、ページを最小単位として構成される、後述する章やブックの構造を編集するための機能を提供している。
【００１９】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のドライバ１０６がデバイスドライバとして指定される。出力モジュールは、指定されたプリンタ１０７のデバイスドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００２０】
図２は、コンピュータ１００のハードウェアブロック図である。図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウエア構成や、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００２１】
＜電子原稿データの形式＞
編集アプリケーション１０４の詳細に言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００２２】
図３（Ａ）は、ブックファイルの形式の一例を模式的に示す図である。この例のブックファイルにおいては、ブック，章，ページは、それぞれに相当するノードにより示されている。ひとつのブックファイルはひとつのブックを含む。ブック，章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。なお、紙媒体等に出力する際の印刷ページは複数の原稿ページを含む場合がある。この構造に関してはリンクによって表示されず、ブック、章、ページ各階層における属性として表示される。
【００２３】
図３において、ブック３０１には、ブック属性が定義されているとともに、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図３（Ｂ）に示す原稿ページデータ３０４のデータ（１），（２）を指し示し、ページ３０３Ａ、３０３Ｂの実体が、原稿ページデータ（１）、（２）であることを表示する。
【００２４】
図４は、ブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。なお、図示された各項目は具体的に１項目に対応するのではなく、関連する複数の項目を含むものもある。
【００２５】
図５は章属性の、図６はページ属性のリストである。章属性とページ属性との関係もブック属性と下位層の属性との関係と同様である。
【００２６】
ブック属性に固有の項目は、印刷方法、製本詳細、表紙／裏表紙、インデックス紙、合紙、章区切りの６項目である。これらは、ブックを通して定義される項目である。印刷方法属性としては、片面印刷、両面印刷、製本印刷の３つの値を指定できる。製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００２７】
表紙／裏表紙属性は、ブックとしてまとめられる電子原稿ファイルを印刷する際に、表紙および裏表紙となる用紙を付加することの指定、及び付加した用紙への印刷内容の指定を含む。インデックス紙属性は、章の区切りとして、印刷装置に別途用意される耳付きのインデックス紙の挿入の指定およびインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００２８】
合紙属性は、章の区切りとして、インサータからあるいは給紙カセットから供給される用紙の挿入の指定、および、合紙を挿入する場合には、給紙元の指定などを含む。
【００２９】
章区切り属性は、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３０】
章属性に関しては、章に固有の項目はなく、すべてブック属性と重複する。したがって、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。このうち、Ｎ−ｕｐ印刷指定属性は、１印刷ページに含まれる原稿ページ数を指定するための項目である。指定可能な配置としては、１×１や１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００３１】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。
【００３２】
ブック、章、ページについて共通な属性として、ウォーターマーク属性およびヘッダ・フッタ属性がある。ウォーターマークとは、アプリケーションで作成されたデータに重ねて印刷される、別途指定される画像や文字列などである。ヘッダ・フッタは、それぞれ各ページの上余白および下余白に印刷されるウォーターマークである。ただし、ヘッダ・フッタには、ページ番号や日時など、変数により指定可能な項目が用意されている。なお、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００３３】
＜ブックファイルの生成手順＞
ブックファイルは上述したような構造および内容を有している。次に、製本アプリケーション１０４および電子原稿ライタ１０２によってブックファイルを作成する手順を説明する。ブックファイルの作成は、製本アプリケーション１０４によるブックファイルの編集操作の一環として実現される。図７は、製本アプリケーション１０４によりブックファイルを開く際の手順である。
【００３４】
まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのユーザインターフェース（ＵＩ）画面を表示する（ステップＳ７０４）。図１１は、新規にブックファイルが作成された際のＵＩ画面の一例である。この場合には、ブックファイルは実質的な内容を持たないために、ＵＩ画面１１００には何も表示されない。
【００３５】
一方、既存のブックファイルがあれば、指定されたブックファイルを開き（ステップＳ７０３）、そのブックファイルの構造、属性、内容に従ってユーザインターフェース（ＵＩ）画面を表示する。図１０は、このＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが、図３（Ａ）のような木構造で表示される。ツリー部１１０１に表示されるページは原稿ページである。プレビュー部１１０２には、印刷ページの内容が縮小されて表示される。その表示順序は、ブックの構造を反映したものとなっている。
【００３６】
さて、開かれたブックファイルには、電子原稿ライタによって電子原稿ファイルに変換されたアプリケーションデータを、新たな章として追加することができる。この機能を電子原稿インポート機能と呼ぶ。図７の手順によって新規に作成されたブックファイルに電子原稿インポートすることで、そのブックファイルには実体が与えられる。この機能は、図１０の画面にアプリケーションデータをドラッグアンドドロップ操作することで起動される。図８に電子原稿インポートの手順を示す。
【００３７】
まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズ（登録商標）ＯＳの下であれば、アプリケーションデータのファイル拡張子に基づいて行える。例えば、拡張子が「ｂｍｐ」であればウインドウズ（登録商標ビットマップデータであり、「ｊｐｇ」であればｊｐｅｇ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００３８】
画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、あらかじめ用意された規定値に設定される。
【００３９】
画像データである場合には、原則として新たな章は追加されず、指定されている章に、ステップＳ８０１で生成された電子原稿ファイルに含まれる各原稿ページが追加される（ステップＳ８０４）。ただし、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるもにについてはその値が与えられる。例えば、Ｎｕｐ指定などがアプリケーションデータにおいてされていた場合には、その属性値が引き継がれる。このようにして、新規なブックファイルが作成され、あるいは、新規な章が追加される。
【００４０】
図９は、図８のステップＳ８０１において、電子原稿ライタ１０２により電子原稿ファイルを生成させる手順のフローチャートである。まず、新たな電子原稿ファイルを作成してそれを開く（ステップＳ９０１）。指定したアプリケーションデータに対応するアプリケーションを起動し、電子原稿ライタをデバイスドライバとして、ＯＳの出力モジュールに対して出力コマンドを送信させる。出力モジュールは、受信した出力コマンドを電子原稿ライタによって電子原稿形式のデータに変換し、出力する（ステップＳ９０２）。出力先はステップＳ９０１で開いた電子原稿ファイルである。指定されたデータすべてについて変換が終了したか判定し（ステップＳ９０３）、終了していれば電子原稿ファイルを閉じる（ステップＳ９０４）。電子原稿ライタ１０２によって生成される電子原稿ファイルは、図３（Ｂ）に示した、原稿ページデータの実体を含むファイルである。
【００４１】
＜ブックファイルの編集＞
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００４２】
このほか、一旦行った編集操作を取り消す操作や、さらに取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などといった編集操作が可能となる。これらの操作を行うと、図４乃至５に示す属性に操作結果が反映されたり、あるいはブックファイルの構造に反映される。たとえば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００４３】
＜ブックファイルの出力＞
以上のように作成・編集されるブックファイルは印刷出力を最終目的としている。利用者が図１０に示す製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成して電子原稿デスプーラ１０５に渡す。電子原稿デスプーラ１０５は、ジョブチケットをＯＳの出力コマンド、例えばウインドウズ（登録商標のＧＤＩコマンドに変換し、それを出力モジュール、例えばＧＤＩに送信する。出力モジュールは、指定されたプリンタドライバ１０６によってデバイスに適したコマンドを生成し、そのデバイスに送信する。
【００４４】
ジョブチケットは原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００４５】
電子原稿デスプーラ１０５は、上述のジョブチケットを、出力モジュールへの出力コマンドに変換する。
【００４６】
＜そのほかのシステム構成＞
本実施形態の文書処理システムの概要は以上のようなものである。これはスタンドアロン型のシステムであるが、これを拡張したサーバクライアントシステムでもほぼ同様の構成・手順でブックファイルが作成・編集される。ただし、ブックファイルや印刷処理はサーバによって管理される。
【００４７】
図１２はサーバクライアント型文書処理システムの構成を示すブロック図である。クライアント文書処理システムは、スタンドアロン型システムに、クライアントモジュールであるＤＯＭＳ（Document Output Management Service：文書出力管理サービス）ドライバ１０９およびＤＯＭＳプリントサービスモジュール１１０、ＤＳ（文書サービス）クライアントモジュール１０８を加えた構成を有する。このクライアント文書処理システム１２００に、文書管理サーバ１２０１および印刷集中管理サーバ１２０２およびプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。なお図１２では文書管理サーバ１２０１と印刷集中管理サーバ１２０２の両サーバがクライアントに接続されているが、いずれか一方のみがネットワーク上に存在する場合もあり得る。接続されているサーバが文書管理サーバであれば、そのクライアントモジュールを含む文書管理サーバクライアントシステム１２０１ＳＣが、印刷集中管理サーバ１２０２であれば、そのクライアントモジュールを含む印刷管理サーバクライアントシステム１２０２ＳＣが、スタンドアロン型文書管理システムに追加される。
【００４８】
文書管理サーバ１２０１は、製本アプリケーション１０４により作成・編集されたブックファイルを格納するサーバである。文書管理サーバ１２０１によってブックファイルを管理する場合、ブックファイルは、クライアントＰＣのローカルＨＤに代わって、あるいはそれに加えて、文書管理サーバ１２０１のデータベース１２１１に保存される。製本アプリケーション１０４と文書管理サーバ１２０１との間のブックファイルの保存および読み出しは、ＤＳクライアント１０８及びＤＳコア１２１２を介して行われる。
【００４９】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００５０】
＜印刷設定ＵＩ及び手順＞
上述した文書処理システムにおいて、文書ファイルを印刷する場合には、その文書ファイルの印刷方法の設定に応じた単位で、印刷対象となる範囲の設定が可能である。本実施形態では、印刷方法として製本印刷が指定されている場合には、製本単位（束）ごとに印刷範囲を指定でき、片面あるいは両面が指定されている場合には、章単位あるいは印刷ページ単位あるいは原稿ページ単位で範囲を指定できる。また、印刷方法に関わらず文書全体を印刷対象として指定できることはもちろんである。
【００５１】
図１３は、印刷方法として片面印刷が、レイアウトとして１印刷ページに１原稿ページを配置する指定がされているブックファイルを開いた場合の製本アプリケーションによるＵＩ画面の例である。この例では「ＷＯＲＤ−Ａ４」なる名称のブックファイルが開かれており、このファイルはｗｏｒｄ−１という名称の章と、ｗｏｒｄ−２という名称の章とで構成される。片面印刷の指定は、ＵＩ画面１３００の「印刷体裁」メニューからブックの詳細設定を選択し、それにより表示される図１４の画面１４００において、印刷方法指定欄１４０１のラジオボタン「片面印刷」を選択することで行える。なお、１印刷ページにＮ原稿ページを配置するレイアウトをＮ−ｕｐと呼ぶ。図１３の例は１ｕｐのレイアウトを示している。
【００５２】
図１３のＵＩ画面１３００において、ツリー部１３０１には現在開かれているブックファイルの構造が表示されている。プレビュー部１３０２には、印刷される状態を示すプレビュー表示がされる。プレビュー表示には、印刷ページを縮小表示する印刷ビューモード、印刷ページのレイアウトのみ表示する簡易ビューモード、原稿ページの内容を表示する原稿ビューモードの３モードがあるが、図１３では印刷ビューが選択されている。プレビュー部１３０２においては、印刷ページを示すページ画像１３０３が表示されるとともに、その下部には原稿ページ番号が示され、右上部には印刷枚数を示すシート番号が示される。印刷方法として片面印刷が指定され、また、レイアウトとして１ｕｐ指定がされている場合には、１枚のシート（用紙）と原稿ページとは１対１に対応する。従って、図１３では、各印刷ページごとにシート番号が振られ、原稿ページのページ番号も振られる。
【００５３】
このブックファイルの印刷設定を行うためには、利用者は画面１３００からファイルメニューを選択し、その中から「印刷設定」を指定する。それにより、図１５の印刷設定画面１５００が表示される。印刷設定画面においては、部数欄１５０１と印刷対象欄１５０２とが含まれる。部数欄１５０１は印刷方法に依存せず指定可能であるが、印刷対象欄１５０２は印刷方法の設定によって指定可能な項目が異なる。図１５は印刷方法として片面印刷あるいは両面印刷が指定されている場合の例である。この場合図１５に示すように、印刷対象としてはブックファイル全体を印刷する「ｂｏｏｋ（すべて）」と、指定した章を印刷する「章」と、指定したページを印刷する「ページ」と、製本印刷で指定された製本単位である「束（冊子）」のいずれかが指定できる。なお、「束（冊子）」の指定は印刷方法として製本印刷が指定されている場合に限り意味を持つため、製本印刷が指定されている場合に限り選択可能な項目としてもよい。
【００５４】
（１）全範囲の指定
印刷対象欄１５０２から「ｂｏｏｋ（すべて）」が指定されたばあいには、指定すべき範囲はないため指定に引き続いてＯＫボタン１５０３を押すことで設定に応じた印刷処理が開始される。本実施形態でいう印刷処理とは、プリンタにおける印刷処理ではなく、製本アプリケーション１０４が電子原稿デスプーラに描画データの生成をさせる処理と、ＯＳを介してプリンタドライバに印刷データ（印刷ジョブ）の生成を行わせる処理に相当する。
【００５５】
（２）章番号による指定
「章」が指定された場合には、図１６に示すように、印刷対象欄１５０２には章指定欄１６０２が表示され、その欄において印刷対象の章が指定可能である。片面１ｕｐ印刷の場合には、図１３のプレビュー部に示すとおり章の区切り目は必ずシートの区切り目にあたる。そのため、製本アプリケーションは、指定された章に対応するシートを含むジョブチケットを作成し、図１の電子原稿デスプーラ１０５に渡す。
【００５６】
印刷方法として両面印刷が指定されているばあいには、章の区切り目がシートの区切り目と一致するとは限らない。図１９は、図１８と同じブックファイルについて両面１ｕｐ印刷が指定された場合のプレビュー画面の一例の図である。両面印刷であるため、１枚のシートにはその両面に２原稿ページが印刷される。そのため、ページ番号は図１８と同様に原稿ページごとに表示されるが、シート番号は２ページおきに付されている。プレビュー部１９０２では両面印刷であることが視覚的に確認できるように、シートの両面の印刷ページを若干段をずらして表示している。この場合にも、章番号による印刷範囲の指定のためのＵＩ画面は図１６と同様の画面となる。しかし、指定された範囲の先頭あるいは末尾のシートが２つの章にまたがっている場合もある。図１９の例では、シート２には第１章の第３ページと第２章の第１ページが印刷される。このような場合には、指定された章を含むシートに載るすべてのページを印刷の対象とする。すなわち、図１９で第２章が印刷対象として指定された場合、ページ１−３もページ２−１とともに印刷される。これは、部分的な印刷は、通常一部の差し替えのために行われることが多いためである。
【００５７】
これは、１印刷ページに複数の原稿ページを配置するＮｕｐ指定がされているブックファイルについても同様である。図２１は、図１９と同じブックファイルについて２ｕｐ指定がされている場合のＵＩ画面の一例である。プレビュー部２１０２には、シート２の印刷ページとして、第１章の第２ページと第２章の第１ページが配置された画像が表示されている。印刷対象として、例えば第２章が指定されると、ページ１−３もページ２−１とともに印刷される。
【００５８】
印刷方法として製本印刷が指定されている場合に章番号による印刷範囲の指定がされたときにも、指定された章を含むシートに載るすべてのページが印刷の対象とされる。図２２に製本印刷の指定を行うための画面を示す。図２２の画面２２０１は図１４の画面と同様の手順によって表示される。ただし、印刷方法欄２２０２において製本印刷が指定されているために、指定可能な項目は開き方向２２０３や製本印刷の単位（束）となる用紙の枚数２２０４となっている。この例では製本単位は２枚に指定されている。また、章区切りはしないものと指定されており、連続する章の間において改ページや改用紙は行われない。
【００５９】
製本単位とは、指定枚数を重ねて２つ折りにすることで作成した冊子である。その冊子を綴じれば１冊の本となる。このため、レイアウトは形式的には両面２ｕｐと同様であるが、製本後に見開きの順序が原稿ページの順序になるよう、原稿ページが配置される。
【００６０】
このように製本印刷が指定されていると、製本アプリケーションによりブックファイルを開いた場合のＵＩ画面は図２３の様なものとなる。開いているブックファイルにはｃｈａｐｔｅｒ１という名称の第１番目の章と、ｃｈａｐｔｅｒ２という名称の第２番目の章とが含まれている。第１番目の章には１５原稿ページが、第２番目の章には少なくとも１４原稿ページが含まれる。プレビュー部２３０２には、１行に１束ずつ、見開きの順に原稿ページのプレビュー画像が表示される。また、表示形式も見開きを模したものとなっている。図２３の場合、製本単位が２枚であるため、各冊子は２枚のシートから構成される。各シートの一方の面には２原稿ページがレイアウトされるため、１つの冊子は８原稿ページからなる。
【００６１】
このような製本印刷の場合には、章番号で印刷対象の範囲が指定されると、指定された章を含むすべての冊子が印刷される。図２３の例では、最初の冊子においては、その内側シートの表面にはページ１−４及び１−５が、裏面には１−３及び１−６が印刷される。外側シートには、その表面にページ１−２及び１−７が、裏面にはページ１−２及び１−８が印刷される。第２番目の冊子においては、その内側シートの表面にはページ１−１２及び１−１３が、裏面には１−１１及び１−１４が印刷される。外側シートには、その表面にページ１−１０及び１−１５が、裏面にはページ１−９及び２−１が印刷される。そのため、第２章が印刷範囲として指定されると、第２番目の冊子には第２章の最初のページが含まれることから、第２番目の冊子を含めて、第３番目、第４番目というように、第２章を含むすべての冊子が印刷される。
【００６２】
このように、章番号が指定された場合には、指定された章を含むすべての印刷単位、すなわち片面印刷および両面印刷場合には指定された章を含むすべてのシートが、製本印刷の場合には指定された章を含むすべての冊子が印刷範囲とされ、印刷される。
【００６３】
（３）ページ番号による指定
印刷対象欄から「ページ」が指定された場合には、図１７または図１８に示すように、印刷対象欄１５０２には、印刷ページで範囲を指定するための欄１７０２と、原稿ページで範囲を指定するための欄１７０３とが表示される。利用者がラジオボタン１７０４を選択することで、いずれか一方の欄が設定可能となる。印刷ページ番号による範囲指定の一例を図１７に、原稿ページ番号による範囲指定の一例を図１８に示す。
【００６４】
原稿ページ番号で範囲を指定する場合、プレビュー画面上では、ページ番号は、章番号と各章における原稿ページとをハイフンで接続した番号として表示されるが、範囲指定は通し番号に換算して指定する。もちろん、これは本実施形態のシステムに関する仕様であり、プレビュー表されるページ番号そのもので範囲指定を行わせることもできる。ただし、範囲を表す記号をハイフン以外の記号に定義し直すなど、表記のしかたについて混同を防止するための処置をとる必要はある。
【００６５】
印刷ページ番号で範囲を指定する場合にも、印刷ページ番号の通し番号で範囲を指定する。
【００６６】
原稿ページで範囲指定するばあいも、印刷ページで範囲指定するばあいも、何れのばあいも章番号による指定と同様、指定されたページを含むすべての印刷単位、すなわち片面印刷および両面印刷場合には指定されたページを含むすべてのシートが、製本印刷の場合には指定されたページを含むすべての冊子が印刷範囲とされ、印刷される。
【００６７】
（４）束（冊子）による指定
束による指定は、製本印刷の場合に有効となる。図２２に示すように製本印刷が印刷方法として指定されている場合、図２３の画面から「ファイル」メニューを選択し、そこから「印刷」項目をさらに選択すると、図２４に示す印刷設定ＵＩ画面２４００が表示される。印刷対象欄２３０１から「束（冊子）」を選択すると、束番号指定欄２４０２が表示される。利用者はこの欄で印刷対象の冊子を指定する。図２３のプレビュー部２３０２においては、ひとつの束は横１列の原稿ページのまとまりとして表示される。プレビュー画面における束番号はこのプレビュー部２３０２に表示された束の順序で与えられる。
【００６８】
冊子単位で印刷対象が指定された場合、指定された冊子を構成する全ページが、製本印刷の手順に従って印刷される。
【００６９】
＜印刷設定手順＞
図１３〜図２４のＵＩ画面を参照して説明した印刷範囲設定の手順を、図２５のフローチャートを参照し、製本アプリケーションによる処理手順の側面から説明する。図２５の手順は、図１３や図１９、図２１あるいは図２３の画面において、利用者が「ファイルメニュー」から「印刷設定」の項目を選択した場合に、図１５に示す画面を表示した後から開始される。
【００７０】
まず、ステップＳ２５０１において印刷対象欄の選択を判定する。選択された対象が「ｂｏｏｋ」であればそのまま入力待ちとなる。ステップＳ２５０５で入力待ちをし、入力がＯＫボタンであればステップＳ２５０６に進んでブック全体を印刷対象として含むジョブチケットを生成する。ジョブチケットはすでに説明したとおり、用紙（シート）上における原稿ページのレイアウトを定義している。ジョブチケットの構造は、まず最上位にドキュメントというノードがあり、文書全体の属性、例えば両面印刷／片面印刷などが定義されている。その下には用紙（シート）ノードが属し、用いるべき用紙の識別子や、プリンタにおける給紙口の指定などの属性が含まれる。各用紙ノードには、印刷ページノードが属する。片面印刷ならば１シートには１印刷ページが属し、両面印刷ならば１シートに２印刷ページが属する。各印刷ページノードには、その上に配置される原稿ページがリーフノードとして属する。例えば、２ｕｐ指定されていれば、１印刷ページには２原稿ページが属する。また印刷ページの属性として、原稿ページの位置やサイズ等が含まれる。ジョブチケットはこのように木構造を有している。ステップＳ２５０６では、ブックファイルの構造及び各ノードにおける属性に従って、ブックファイル全体からジョブチケットを生成する。
【００７１】
そして、ステップＳ２５１０では、生成したジョブチケットを電子原稿デスプーラに送信する。
【００７２】
一方、ステップＳ２５０５における入力待ちで、印刷対象が変更された場合には、ステップＳ２５０１に戻って印刷対象の判定を繰り返し行う。
【００７３】
ステップＳ２５０１の判定で印刷対象が「章」であれば、ステップＳ２５０２で図１６の画面を表示し、入力待ちとなる。ステップＳ２５０５における入力待ちで、印刷対象が変更された場合には、ステップＳ２５０１に戻って印刷対象の判定を繰り返し行う。
【００７４】
章番号指定欄１６０２に章番号が指定されてＯＫボタンが押されたなら、ステップＳ２５０５に進んで指定された章を含む全シートを出力するためのジョブチケットを生成する。そのために、図３に示すブックファイルのブック属性に含まれる印刷方法およびＮ−ｕｐ指定およびブックファイルの構造を参照し、指定された章の原稿ページを含むシートを印刷の対象としてジョブチケットを生成する。
【００７５】
ひとつの方法として、いったんブックファイル全体を対象とするジョブチケットを生成し、その後、指定された章に含まれる原稿ページをリーフノードとして含むシートノードを頂点とする部分木のみを残し、他のシートノードを頂点とする部分木を削除するという方法がある。ただし、製本印刷の場合には指定範囲が章であろうとも冊子単位で印刷するために、指定された章を全く含まないシートであっても、指定された章を含む冊子の一部であれば印刷対象となる。そこで、ジョブチケットのシートノードを印刷単位として指定された枚数ごとに区分し、指定された章に属する原稿ページが含まれる区分内のシートはすべて印刷対象としてジョブチケットを生成する。なおブックファイル全体のジョブチケットの作成は、片面または両面印刷であれば、Ｎ−ｕｐ指定に応じて、Ｎページずつ原稿ページを各印刷ページに配置するようにして作成できる。また製本印刷の場合には、（製本単位×４）ページずつ原稿ページを区切り、各区切り（これが束である）ごとに、見開き順に原稿ページを（製本単位×４）ページ分の枠に配置していくことで作成できる。
【００７６】
そして、ステップＳ２５１０では、生成したジョブチケットを電子原稿デスプーラに送信する。
【００７７】
ステップＳ２５０１において印刷対象が「ページ」であれば、ステップＳ２５０３で図１７の画面を表示し、入力待ちとなる。ステップＳ２５０５における入力待ちで、印刷対象が変更された場合には、ステップＳ２５０１に戻って印刷対象の判定を繰り返し行う。
【００７８】
図１７におけるボタン１７０４によって印刷ページか原稿ページかいずれを対象とするかが指定され、印刷ページの場合には印刷ページ番号欄１７０２に番号が入力されたＯＫボタンが押されたなら、ステップＳ２５０８へ進む。原稿ページの場合には図１８の画面を表示しなおして、原稿ページ番号欄１７０３にページ番号が指定されてＯＫボタンが押されたなら、ステップＳ２５０８に進む。
【００７９】
印刷ページ番号指定欄１７０２に印刷ページ番号が指定されてＯＫボタンが押されたなら、ステップＳ２５０８に進んで指定された印刷ページを含む全シートを出力するためのジョブチケットを生成する。そのために、図３に示すブックファイルのブック属性に含まれる印刷方法およびＮ−ｕｐ指定およびブックファイルの構造を参照し、指定された印刷ページを含むシートを印刷の対象としてジョブチケットを生成する。
【００８０】
ひとつの方法として、いったんブックファイル全体を対象とするジョブチケットを生成し、その後、指定された印刷ページを含むシートノードを頂点とする部分木のみを残し、他のシートノードを頂点とする部分木を削除するという方法がある。ただし、製本印刷の場合には指定範囲が印刷ページであろうとも冊子単位で印刷するために、指定された印刷ページを全く含まないシートであっても、指定された印刷ページを含む冊子の一部であれば印刷対象となる。そこで、ジョブチケットのシートノードを印刷単位として指定された枚数ごとに区分し、指定された章に属する印刷ページが含まれる区分内のシートはすべて印刷対象としてジョブチケットを生成する。
【００８１】
印刷対象が原稿ページで指定されている場合には、前述の「印刷ページ」を「原稿ページ」に置換した方法でジョブチケットを生成できる。なお、原稿ページ番号は通し番号で指定されているために、それを章番号及び各章における原稿ページ番号に換算しなければならない。換算によって原稿ページを特定できる。
【００８２】
以上の手順で印刷の対象としてジョブチケットを生成する。そして、ステップＳ２５１０では、生成したジョブチケットを電子原稿デスプーラに送信する。
【００８３】
ステップＳ２５０１の判定で印刷対象が「束」であれば、ステップＳ２５０４で図２４の画面を表示し、入力待ちとなる。ステップＳ２５０５における入力待ちで、印刷対象が変更された場合には、ステップＳ２５０１に戻って印刷対象の判定を繰り返し行う。
【００８４】
章番号指定欄２４０２に束番号が指定されてＯＫボタンが押されたなら、ステップＳ２５０５に進んで指定された束に含まれる全シートを出力するためのジョブチケットを生成する。なお、束指定は印刷方法が製本印刷の場合に限られる。
【００８５】
ひとつの方法として、いったんブックファイル全体を対象とするジョブチケットを、各冊子（束）ごとに原稿ページの順序を見開き順に印刷ページに配置した製本印刷の形式で生成しておく方法がある。このように生成されたジョブチケットにおいて、束は、製本単位の数ごとに区切られたシートノードで表現できる。例えば製本単位が２枚の場合、印刷順に前からふたつずつシートノードを区切れば、各区切りが束となる。そこで、指定された束に含まれないシートノードをジョブチケットから削除することで、指定された束を含むジョブチケットを生成する。なお、製本印刷では、ジョブチケット生成時に各冊子ごとに原稿ページの順序を見開き順に配置しておくことはもちろんである。
【００８６】
そして、ステップＳ２５１０では、生成したジョブチケットを電子原稿デスプーラに送信する。
【００８７】
以上の手順によって、指定された部分を含むジョブチケットを生成することができる。電子原稿デスプーラは、ジョブチケットを受信すると、オペレーティングシステムの有する出力モジュールに適合したコマンドにジョブチケットを変換し、そのコマンドを出力モジュールに送信する。出力モジュールは、印刷を実際におこなうプリンタ等のデバイスドライバを用いてそのプリンタに適した形式の印刷コマンドを生成し、それをプリンタに送信して印刷させる。
【００８８】
＜その他の構成＞
上記実施形態では、製本印刷の場合、指定された範囲を含むシートを冊子単位で印刷している。しかし、製本単位の枚数が多い場合や、ブックファイル全体が製本単位として指定されている場合には、必要な用紙枚数が少ないという利点が失われてしまう。そこで、印刷範囲の指定が章または印刷ページ又は原稿ページでされている場合には、指定された範囲を含むシートを印刷することもできる。この場合には、上述の手順とほぼ同様の手順で印刷できるが、指定された範囲を含む束の判定を行う必要がない分だけ処理手順は簡単になる。また、印刷される用紙の枚数を減らすことが可能であることはもちろんである。
【００８９】
また、範囲指定のしかたとして、用紙単位の指定を付け加えても良い。シートはジョブチケットのノードのひとつであり、しかもシート単位の指定は指定された範囲で必ず完結するために、指定範囲を含む部分的なジョブチケットを作成することは容易である。また、シートの番号はプレビュー部において各シートの右肩部に表示されるため利用者がシートをプレビュー画面から特定することが容易である。シートが印刷範囲として指定された場合には、ブックファイル全体のついてのジョブチケットから、指定範囲外のシートのノードを削除することで、指定範囲を印刷するためのジョブチケットを生成することができる。指定されたシートの番号はジョブチケットにおけるシートノードの順序に対応しているため、この処理は容易である。
【００９０】
また、本実施形態では、部分印刷のジョブチケットを生成する際には、全体についてのジョブチケットから必要な部分のみを残すような処理を行うとしているが、必要な部分だけを選び出してジョブチケットを再構成することもできる。また、全体についてのジョブチケットを生成しながら、不要な部分を削除する処理を並行して行うことで、ジョブチケットの生成に必要な資源を節約することができる。
【００９１】
＜部分印刷の具体的手順の例＞
また、部分印刷を行う方法として、ジョブチケットから不要な部分を取り除く方法ではなく、ジョブチケットに対して印刷範囲を指定する指示を追加し、部分印刷に必要なジョブチケットの部分を電子原稿デスプーラによって読み出す方法を採用することも可能である。その例を以下に示す。
【００９２】
（文書全体（ブック）の指定）
図２６は、ジョブチケットの形式の一例を模式的に示す図である。この例のジョブチケットでは、１つのドキュメントの内容と印刷に対する指示などの情報が階層構造で表現されている。印刷指示は「ＲｅｓｏｕｒｃｅＰｏｏｌ」２６０１の部分に含まれており、ドキュメントに対する印刷指示は、「ＰｒｉｎｔＰａｒａｍｓ」２６０２以下に記載されている。さらに、各シートに関する情報は「Ｓｈｅｅｔ」２６０３以下に記載され、各シートに配置される印刷ページ（物理ページ）に関する情報は「Ｓｕｒｆａｃｅ」２６０４以下に記載されており、「Ｓｕｒｆａｃｅ」２６０４には原稿ページの印刷ページ上への配置指示が含まれる。
【００９３】
図２５のフローチャートにおいて、ブック全体を印刷するためのジョブチケットを生成するステップＳ２５０６では、図２７に示すように、「ＰｒｉｎｔＳｈｅｅｔＬｉｓｔ＝"１〜−１"」という印刷範囲の指示２７０１を生成する。この例では印刷範囲を示す文字列に以下の書式を利用している。なお図においては下線を付しているがこれは図示の便宜のためである。
・シートを指定するシート番号は、ドキュメントの先頭シートから順に１，２，３，あるいは最終シートから順に−１，−２，−３と表現する。
・印刷するシート番号をスペースで区切って指定する。例えば、３シート目と５シート目を指定する場合には、"３ ５"と表現する。
・連続したシートを指定する場合、"（最初のシート番号）〜（最後のシート番号）"という書式で表現できる。例えば、１シート目から３シート目を指定する場合には"１〜３"と表現する。
【００９４】
図２７の例では、印刷範囲は、「ＰｒｉｎｔＳｈｅｅｔＬｉｓｔ」なる記述によりシート（用紙）単位で指定されするものとしている。そのため、ステップＳ２５０６では、ブック全体を出力範囲とする範囲の指定として"１〜−１"、すなわち先頭のシートから最終のシートまでの指定を生成し、「ＰｒｉｎｔＳｈｅｅｔＬｉｓｔ」の直後にそれを付加する。そして、生成された、範囲を指定するための記述「ＰｒｉｎｔＳｈｅｅｔＬｉｓｔ＝"１〜−１"」は、「ＰｒｉｎｔＰａｒａｍｓ」２６０２に含まれる項目のひとつとしてジョブチケットに挿入される。
【００９５】
（章単位の指定）
指定された章を印刷するためのジョブチケットを生成するステップＳ２５０７では、まず指定された章に含まれる原稿ページを調べる。これには、図３で示した章属性、ページ属性の階層を利用して調べることができる。そして、得られた原稿ページが配置される印刷ページを調べる。これには、図４および図５に示したブック属性および章属性の内、原稿ページの配置にかかわる情報（印刷方法、Ｎ−ｕｐ印刷など）を元に調べることができる。
【００９６】
１シートの片面に配置される原稿ページ数は、Ｎ（ＮはＮ−ｕｐ印刷指定における、１物理ページに配置される原稿ページ数）ページである。したがって、１シートに配置される原稿ページ数は、片面印刷指定であればＮ、両面印刷指定であれば２Ｎとなる。したがって原稿ページ数とシート数との関係は、原稿ページ数／Ｎ（片面指定）または原稿ページ数／２Ｎ（両面指定）となる。また、章の間で改用紙の指定があれば、新たな章は必ずシートを改めてから印刷される。章の間で改ページの指定があれば、新たな章は必ず印刷ページを改めてから印刷される。したがって、これらの点を鑑みて、指定された章が含まれるシートが特定される。具体的にはステップＳ２５０７で行われるのは次のような手順を一例として採用できる。
（１）指定された章以前の章について、シート枚数（Ｐ）を数える。このためには、章のシート枚数＝章に含まれる原稿ページ数／Ｎ（片面指定）または原稿ページ数／２Ｎ（両面指定）として計算する。ただし、両面印刷指定であり、かつ、章間の改ページ指定がない場合には、章ごとに計算せず、連続する章についてまとめて計算する。また章に含まれる原稿ページ数は、図３（Ａ）の章ノード３０２Ａ、３０２Ｂから分岐する葉ノードの数に相当する。
（２）章間に改用紙指定があれば、次の章は新たなシート（Ｐ＋１）から印刷される。
（３）章間に改ページ指定があれば、両面指定の場合には次の章はその前の章の最終ページを同じシート（Ｐ）の裏面から印刷される。片面印刷指定の場合には新たなシート（Ｐ＋１）から印刷される。
（４）指定された章以前のすべての章について（１）〜（３）を繰返し行い、指定された章についてその先頭ページの属するシート（Ｐｓｔａｒｔ）を求める。
（５）指定された章について（１）と同じ要領でシート枚数（Ｐ'）を数える。（６）印刷範囲をシートＰｓｔａｒｔ〜Ｐｓｔａｒｔ＋Ｐ'と決定する。
【００９７】
以上の手順により、章単位で指定された範囲をシートに置き換えることができる。もちろん、複数の章が指定されている場合には、それぞれの指定された章について独立してこの手順を適用することができる。
【００９８】
ただし、これらの手順は、図２１のようなＧＵＩ画面を表示する際にも行われるものである。したがって、そのＧＵＩ画面表示時にシートと原稿ページ、章の対応関係を決定したならばその情報を保存しておき、印刷範囲が指定された場合には、その保存された情報を参照してシートの範囲を決定することもできる。
【００９９】
なお製本印刷指定の場合には、章単位の印刷範囲は束の単位で指定されるものとする。したがって、指定された章が含まれる束をシートの範囲に対応付けて、印刷対象のシートの範囲が決定される。製本印刷指定の場合には、１束のシート数×４が１束に印刷される原稿ページ数となる。また、章の間に改用紙指定があれば、章の最終ページ番号が奇数であるならその直後に白紙ページが挿入されたものとして指定された章以前の章のみが属する束の数が判定される。このようにして数えられた束の数は、１束のシート数を乗じてシート数（Ｐ）に換算される。
【０１００】
そして、指定された章が属する束の先頭のシート番号（Ｐ＋１）が、印刷すべき範囲の先頭となる。指定された章の原稿ページ数から、指定された章が含まれる束の数はただちに求められる。このとき、先頭の束に含まれる、指定された章以外の章の原稿ページ数を含めて束の数は判定される。そして、指定された章が含まれる最後の束の最終シートが、印刷すべき範囲の末尾となる。
【０１０１】
以上のようにして決定された範囲を「ＰｒｉｎｔＳｈｅｅｔＬｉｓｔ」の直後に付加し、これを「ＰｒｉｎｔＰａｒａｍｓ」２６０２に挿入する。
【０１０２】
例えば、図１９に示した両面１−ｕｐのドキュメントの２章を印刷対象に指定した場合、指定された第２章以前の章、すなわち第１章のシート枚数は、２章に含まれる原稿ページは２−１から２−５の５ページであり、これらの原稿ページが配置されるシートは２から４の３つのシートとなる。よって、この場合には、ＰｒｉｎｔＳｈｅｅｔＬｉｓｔ＝"２〜４"という表現で印刷範囲を指定することとなる。
【０１０３】
（原稿ページ単位の指定）
指定されたページ（原稿ページ）を印刷するためのジョブチケットを生成するステップＳ２５０８では、指定された原稿ページが配置される印刷ページを調べる。この処理は、章を指定された場合の処理と同様に求めることができる。すなわち、上述した章単位の指定の手順において、（１）〜（６）における「章」を「原稿ページ」と読み替えれば、ほぼそのまま上記手順を適用できる。ただし、手順（１）では１原稿ページ当たりのシート枚数が求められてしまうので、この値に指定された原稿ページより前の原稿ページ数を乗じてシート枚数に換算する必要がある。
【０１０４】
さらに、換算されたシート枚数が整数ではない場合、指定された原稿ページはそれ以前のページと同じシート上に印刷される可能性があるため、章区切りの指定に応じて調整が必要となる。
（ａ）章区切りの改ページ指定および改用紙指定がいずれもされていない場合には、換算されたシート枚数の整数部分が、指定された原稿ページが印刷されるシートより前のシートの枚数に相当する。
（ｂ）ただし、改ページ指定されている場合、注目章のページ数として、図３のデータから得られる原稿ページ数をそのまま採用せず、注目章のページ数より大きい最小のＮの倍数を、注目章の原稿ページ数として採用する。そしてその原稿ページ数を、上記手順でシート枚数に換算する。これは、改用紙指定されており、かつ、片面印刷指定されている場合も同様である。また、改用紙指定されており、かつ、両面印刷指定されている場合には、注目章のページ数として、注目章のページ数より大きい最小の２Ｎの倍数を、注目章のページ数として採用する。ただし、ＮはＮ−ｕｐ印刷指定における、１印刷ページに配置される原稿ページ数である。これは、章区切りにより生じる空白を空白原稿ページとして換算するためである。
【０１０５】
例えば、図１９に示したドキュメントの原稿ページ２−１と２−５とを印刷対象に指定した場合を考える。両面に刷指定がされていることから、１原稿ページ当たりのシート枚数は、１／２である。章区切りの指定は特にされていないから、範囲指定されたページ２−１以前のシート数は、３（原稿ページ数）×１／２（シート枚数／原稿ページ）＝３／２の整数部分、すなわちＰ＝１枚である。したがって、指定された原稿ページが含まれるシートはＰ＋１＝２枚目ということになる。同様にして、原稿ページ２−５は４枚目のシートに含まれる。すなわち、指定された原稿ページを含むシートはシート２と４の２つのシートとなる。この場合には、「ＰｒｉｎｔＳｈｅｅｔＬｉｓｔ＝"２ ４"」という表現で印刷範囲を指定することとなる。
【０１０６】
束（冊子）単位の指定）製本印刷時に指定された束を印刷するためのジョブチケットを生成するステップＳ２５０９では、指定された束の含むシートを求める。例えば、製本印刷時に５枚ごとに冊子を分ける指示を行った場合に２冊子目印刷するのであれば、６から１０の５つのシートが印刷対象となるので、ＰｒｉｎｔＳｈｅｅｔＬｉｓｔ＝"６〜１０"という表現で印刷範囲を指定することとなる。
【０１０７】
電子原稿デスプーラは、上記処理で作成されたジョブチケットを受け取り、ＰｒｉｎｔＳｈｅｅｔＬｉｓｔに指定されたシートのみを印刷対象と判断し、対応するシートのみ指定された指示に従ってオペレーティングシステムの有する出力モジュールに適合したコマンドにジョブチケットを変換し、そのコマンドを出力モジュールに送信する。図２８Ａ及び図２８Ｂはひとつのジョブチケットを示している。図２８Ａ及び図２８Ｂに示すジョブチケットの例では、ＰｒｉｎｔＰａｒａｍｓのＰｒｉｎｔＳｈｅｅｔＬｉｓｔ＝"１"（１シート目を印刷する）を読み出し、指定されたＬａｙｏｕｔのＳｉｇｎａｔｕｒｅに属するシートのみを印刷対象としてコマンド生成を行うこととなる（図の太字のＳｉｇｎａｔｕｒｅ部分のみ）。
【０１０８】
このようにして、複数の印刷範囲指定方法で指定された印刷範囲を、印刷対象のシートを指定するジョブチケットによって表現し、ジョブチケットから不要部分を取り除くのではなく、印刷対象のシート情報を追加して印刷範囲を指定することが可能である。また、ジョブチケットの一部を書き換えるだけで、ドキュメントの任意の部分を印刷対象として指定することが可能となるため、印刷範囲を指定するジョブチケットの作成処理が容易（高速）となる、印刷範囲の変更が可能となるといった効果がさらに得られる。
【０１０９】
＜電子原稿デスプーラにおける印刷処理＞
電子原稿デスプーラにおける印刷処理をさらに詳細に説明する。電子原稿デスプーラは、ジョブチケットに記載された印刷指示に従って、原稿ページの描画データをＯＳの出力コマンド（例えばＷｉｎｄｏｗｓ（登録商標）のＧＤＩコマンド）に変換し、プリンタドライバ経由でプリンタに描画命令を転送する。
【０１１０】
ジョブチケットには、先頭のシートから順にシート情報が記載されており、Ｎシート目を印刷する際には、ジョブチケットの先頭からＮ番目の「Ｓｈｅｅｔ」の部分を読み出すことで、印刷対象のシート情報を取得することができる。Ｓｈｅｅｔには、片面印刷時には１つのＳｕｒｆａｃｅ、両面印刷時には２つのＳｕｒｆａｃｅが含まれており、Ｓｕｒｆａｃｅには、印刷ページ（物理ページ）の情報が記載されている。さらに、Ｓｕｒｆａｃｅ内にはその印刷ページ内に描画される原稿ページに関する情報がＣｏｎｔｅｎｔＯｂｊｅｃｔとして含まれている。
【０１１１】
図２９に、電子原稿デスプーラにおける印刷処理のフローチャートを示す。ステップＳ２９０１では、ジョブチケットからジョブの初期化コマンド出力に必要な情報を取得する。初期化コマンドは、例えば印刷先のプリンタを識別する情報、指定解像度、部数といった、印刷ジョブ全体に指定するパラメータ群であり、ジョブチケットのＲｅｓｏｕｒｃｅＰｏｏｌ以下のＰｒｉｎｔＰａｒａｍｓやＤｅｖｉｃｅの部分に指定されている。これらの値を取得し、ＯＳの印刷処理方法に合わせて、出力先プリンタを指定し、解像度、部数などのジョブ全体に指定すべきパラメータを出力する。次に、ステップＳ２９０２では、印刷範囲を取得するために、ジョブチケットからＰｒｉｎｔＳｈｅｅｔＬｉｓｔの値を取得する。ステップＳ２９０３では、ＰｒｉｎｔＳｈｅｅｔＬｉｓｔの内容を元に、実際に印刷するシート番号のリストを生成する。例えば、ＰｒｉｎｔＳｈｅｅｔＬｉｓｔ＝"１〜３ ６ ８〜１０"であれば、印刷するシート番号のリスト（１， ２， ３， ６， ８， ９， １０）を生成する。ステップＳ２９０４からステップＳ２９０７では、リストの先頭のシート番号を取り出し（ステップＳ２９０５）、そのシートの印刷処理（ステップＳ２９０６）を行い、リストの先頭のシート番号を削除し（ステップＳ２９０７）、リストに含まれるすべてのシートの印刷処理が終了するまで繰り返し処理を行っている。なお、印刷範囲がすべてのシートの場合には、リストを作成し、印刷するシートを特定する処理を省略し、先頭のシートから順に印刷することが可能である。
【０１１２】
図３０に、図２９のステップＳ２９０６におけるシートの印刷処理のフローチャートを示す。図２６のＳｉｇｎａｔｕｒｅ２６０５は、シート属性（例えば用紙サイズ、給紙口など）の定義を含んでおり、同一のシート属性を持ったシートがそのＳｉｇｎａｔｕｒｅに含まれるよう構成されている。ステップＳ３００１では、印刷対象として指定されたシートを含むＳｉｇｎａｔｕｒｅの情報を読み出し、もしシート属性が直前の状態と異なる場合には、ＯＳの印刷処理方法に合わせて、その属性を変更するコマンド（用紙サイズ・給紙口の変更コマンドなど）を出力する。
【０１１３】
ステップＳ３００２では、印刷対象のシート（Ｓｈｅｅｔ）に含まれる、まだ印刷コマンドを出力していない印刷ページ（Ｓｕｒｆａｃｅ）の情報を取得する。図３１に、Ｓｈｅｅｔ２６０３のサンプルを示す。このＳｈｅｅｔには、二つのＳｕｒｆａｃｅ３１０１，３１０２が含まれており、これは１枚のシートの表面と裏面の印刷ページを示している。ステップＳ３００２では、表面の印刷ページ情報（Ｓｕｒｆａｃｅ３１０１，３１０２）を読み出し、さらに印刷ページに含まれる原稿ページ情報（ＣｏｎｔｅｎｔＯｂｊｅｃｔ３１０３）を読み出し、原稿ページに含まれる描画情報をＯＳの有する出力モジュールに適合したコマンドに変換して、印刷処理を実行する。ＣｏｎｔｅｎｔＯｂｊｅｃｔのＯｒｄには、原稿ページ番号が示されており、それが指し示す原稿ページに含まれているテキスト、グラフィック、イメージなどの描画オブジェクトを、ＯＳに合わせて印刷命令に変換し、プリンタドライバでプリンタが解釈可能な描画コマンドに変換して印刷を実行する。図３１の例では、Ｏｒｄとして、原稿ページ番号０，１，２，３が示されている。
【０１１４】
図３２に、原稿データの構造の例を示す。各原稿ページに含まれる描画オブジェクトが、原稿ページ単位で記録されている。描画オブジェクトが参照するテキストやグラフィックの属性（フォント属性、線属性など）は、複数の描画オブジェクトで共通に利用するために、各原稿ページ以外の部分に記録し、各原稿ページの部分には、属性へのリンク情報のみを持つことにより、データを効率よく保存することも可能である。ステップＳ３００２で取得した、ＣｏｎｔｅｎｔＯｂｊｅｃｔのＯｒｄに指定されている原稿ページ番号より、ステップＳ３００３では、指定された原稿の描画オブジェクト群を原稿データから取得し、ＯＳに合わせて印刷命令に変換することになる。
【０１１５】
図３１の例では、一つのＳｕｒｆａｃｅに二つのＣｏｎｔｅｎｔＯｂｊｅｃｔが含まれているが、これは２−ｕｐ印刷する（一つの印刷ページ上に二つの原稿ページを面付け配置する）ことを意味している。図３１のＣｏｎｔｅｎｔＯｂｊｅｃｔに含まれるＣＴＭの指定はアフィン変換を示しており、原稿ページの描画内容を印刷ページ上に位置、大きさ、回転角を指定して配置する指示を示している。詳細は省略するが、ＯＳに合わせて、描画する位置、大きさ、回転各を指定して、原稿ページに含まれる描画オブジェクトを印刷コマンドに変換し、印刷ページ上に描画する処理を行うことが可能である。ステップＳ３００３およびステップＳ３００４を印刷ページに含まれる全原稿ページに対して繰り返し実行することにより、印刷ページの描画コマンドが生成される。そして、両面印刷の場合には、一つのシートに二つの印刷ページが含まれるため、ステップＳ３００２からステップＳ３００５の処理を裏面に対しても実行する。このようにして、１枚のシートの印刷処理を実行することができる。
【０１１６】
図３３に、プリンタドライバが生成し、プリンタに送信される印刷データの例を示す。３３０１は、図２９のステップＳ２９０１で出力されたジョブの初期化コマンドの部分である。３３０２、３３０６は、図３０のステップＳ３００１で出力されたシートの初期化コマンドの部分である。３３０３、３３０４、３３０５、３３０７は、図３０のステップＳ３００２からＳ３００５で出力された一つの印刷ページの描画コマンドをそれぞれ示している。
【０１１７】
このようにして、ジョブチケットに指定された印刷範囲に合わせた印刷データを生成し、指定されたシートの印刷データのみを印刷することが可能となる。
【０１１８】
＜実施形態のシステムによる利点＞
以上のようにして、プレビュー部に表示されたプレビュー画像をみながらページ番号や章番号あるいは束によって所望の部分のみの印刷を指定することができる。プレビュー画面には印刷出力されるレイアウトを忠実に表現したプレビュー画像が表示されているために、利用者はそれを参照して正確に印刷範囲を指定できる。
【０１１９】
また範囲指定を、章、印刷ページ、原稿ページ、冊子という、様々な単位によって行うことができるために、印刷対象の範囲や、あるいは印刷後の差し替え箇所の特定をしやすい単位を、利用者が選択することが可能である。
【０１２０】
また、指定した範囲とともに、その範囲と同じ用紙に印刷される指定範囲外の部分も印刷される。このため、利用者は内容を変更したページや章を指定するだけで、差し替えるべき用紙あるいは冊子単位で印刷され、非常に操作性がよく、指定した印刷範囲の過誤も少ない。また製本印刷の場合に指定範囲を含む冊子単位で印刷させることで、差し替えが非常に容易となる。また、製本印刷の場合に指定範囲を含むシート単位で印刷させることで、必要な用紙の数量をいたずらに増加させることがない。
【図面の簡単な説明】
【０１２１】
【図１】スタンドアロン型の文書処理システムのブロック図である。
【図２】文書処理システムを実現するコンピュータのブロック図である。
【図３】ブックファイルの構造の一例を示す図である。
【図４】ブック属性の一覧を示す図である。
【図５】章属性の一覧を示す図である。
【図６】ページ属性の一覧を示す図である。
【図７】ブックファイルを開く手順のフローチャートである。
【図８】電子原稿ファイルをブックファイルにインポートする手順のフローチャートである。
【図９】アプリケーションデータを電子原稿ファイルに変換する手順のフローチャートである。
【図１０】既存のブックファイルを開いた際のユーザインターフェース画面の一例を示す図である。
【図１１】新規のブックファイルを開いた際のユーザインターフェース画面の一例を示す図である。
【図１２】クライアントサーバ型の文書処理システムのブロック図である。
【図１３】片面１ｕｐ印刷指定時のプレビュー画面の一例の図である。
【図１４】印刷方法（片面印刷）の指定画面の一例の図である。
【図１５】印刷対象の指定のための画面の一例の図である。
【図１６】印刷対象として章が指定された場合の表示画面の一例の図である。
【図１７】印刷対象として印刷ページが指定された場合の表示画面の一例の図である。
【図１８】印刷対象として原稿ページが指定された場合の表示画面の一例の図である。
【図１９】両面１ｕｐ印刷指定時のプレビュー画面の一例の図である。
【図２０】Ｎｕｐ印刷指定のための設定画面の一例の図である。
【図２１】片面２ｕｐ印刷指定時のプレビュー画面の一例の図である。
【図２２】印刷方法（製本印刷）の指定画面の一例の図である。
【図２３】製本印刷指定時のプレビュー画面の一例の図である。
【図２４】印刷対象として冊子を指定する場合の表示画面の一例の図である。
【図２５】印刷範囲の指定と指定範囲の印刷制御のための手順のフローチャートである。
【図２６】ジョブチケットの形式の一例を模式的に示す図である。
【図２７】ブック全体を印刷するために印刷範囲指定したジョブチケットの例を説明する図である。
【図２８Ａ】印刷範囲を指定されたジョブチケットの例を示す図である。
【図２８Ｂ】印刷範囲を指定されたジョブチケットの例を示す図である。
【図２９】電子原稿デスプーラにおける印刷処理のフローチャートである。
【図３０】シートの印刷処理のフローチャートである。
【図３１】シートの内容を示すSheetの例を説明する図である。
【図３２】原稿データの構造の例を説明する図である。
【図３３】プリンタドライバが生成し、プリンタに送信される印刷データの例を説明する図である。
【図１】
2007200327.tif 000003
【図２】
2007200327.tif 000004
【図３】
2007200327.tif 000005
【図４】
2007200327.tif 000006
【図５】
2007200327.tif 000007
【図６】
2007200327.tif 000008
【図７】
2007200327.tif 000009
【図８】
2007200327.tif 000010
【図９】
2007200327.tif 000011
【図１０】
2007200327.tif 000012
【図１１】
2007200327.tif 000013
【図１２】
2007200327.tif 000014
【図１３】
2007200327.tif 000015
【図１４】
2007200327.tif 000016
【図１５】
2007200327.tif 000017
【図１６】
2007200327.tif 000018
【図１７】
2007200327.tif 000019
【図１８】
2007200327.tif 000020
【図１９】
2007200327.tif 000021
【図２０】
2007200327.tif 000022
【図２１】
2007200327.tif 000023
【図２２】
2007200327.tif 000024
【図２３】
2007200327.tif 000025
【図２４】
2007200327.tif 000026
【図２５】
2007200327.tif 000027
【図２６】
2007200327.tif 000028
【図２７】
2007200327.tif 000029
【図２８Ａ】
2007200327.tif 000030
【図２８Ｂ】
2007200327.tif 000031
【図２９】
2007200327.tif 000032
【図３０】
2007200327.tif 000033
【図３１】
2007200327.tif 000034
【図３２】
2007200327.tif 000035
【図３３】
2007200327.tif 000036